(57)【要約】【課題】出荷および取扱い時にデータ・テープ・カートリッジなどのデータ記録装置をパッケージするための改善された装置および方法を提供すること。【解決手段】データ・テープ・カートリッジの媒体テープ・リールをその外部の保護ハウジングから機械的に隔離する装置は、コンプライアントな円筒形物体を利用する。この物体はリールとハウジングの間の３つの自由度の相対的な動きを防止する。テープ・カートリッジのハウジングの開口部にこの物体を挿入して、リールに力を加える。この物体はコンプライアントな性質であるため、開口部に保持され、リールのハブと係合することが可能になる。リールはハウジングの内部表面に押し付けて保持されて、ハウジングに対するリールの軸方向、半径方向、および回転の動きが防止される。
2004521436.tif 000002
【特許請求の範囲】
【請求項１】
データ・テープ・カートリッジ（１１）であって、
ハウジング（１３）と、
前記ハウジング内に配置された媒体テープ（１７）のリール（１５）と、
前記ハウジングと前記リールの間に挿入され、非動作使用中の前記データ・テープ・カートリッジの取扱い時に前記媒体テープへの損傷を防止するために、前記ハウジングに対する前記リールの動きを隔離する装置（４１）とを
備えるデータ・テープ・カートリッジ。
【請求項２】
前記装置が、コンプライアントな材料から形成される、請求項１に記載のデータ・テープ・カートリッジ。
【請求項３】
前記装置が、円筒形のパック様形状を有する、請求項１または２に記載のデータ・テープ・カートリッジ。
【請求項４】
前記装置が、前記リール上の相補形の溝と係合する溝（４３）を備えている、請求項１ないし３のいずれかに記載のデータ・テープ・カートリッジ。
【請求項５】
前記ハウジングが、前記装置をぴったり受けるための開口部を有する、請求項１ないし４のいずれかに記載のデータ・テープ・カートリッジ。
【請求項６】
前記装置が、前記ハウジングの外部から突き出して、積み重ねた複数の前記データ・テープ・カートリッジ中での前記データ・テープ・カートリッジの隔離を容易にする、請求項１ないし５のいずれかに記載のデータ・テープ・カートリッジ。
【請求項７】
前記装置が、前記ハウジングに対して３つの自由度で前記リールを隔離する、請求項１ないし６のいずれかに記載のデータ・テープ・カートリッジ。
【請求項８】
前記３つの自由度が、前記ハウジングに対する前記リールの軸方向、回転、および半径方向の動きである、請求項７に記載のデータ・テープ・カートリッジ。
【請求項９】
データ・テープ・カートリッジのハウジング（１３）中の開口部（３５）に挿入するための装置（４１）であって、前記データ・テープ・カートリッジが前記ハウジング内に配置された媒体テープのリール（１８）をさらに備え、非使用中の前記データ・テープ・カートリッジの取扱い時に前記媒体テープへの損傷を防止するために、前記装置が、前記開口部に挿入されたとき、前記ハウジングに対する前記リールの動きを事実上隔離する装置。
【請求項１０】
コンプライアントな材料から形成される、請求項９に記載の装置。
【請求項１１】
円筒形のパック様形状を有する、請求項９または１０に記載の装置。
【請求項１２】
前記リール上の相補形の溝に係合する溝を備える、請求項９ないし１１のいずれか一項に記載の装置。
【請求項１３】
前記開口部内にぴったり嵌合する寸法である、請求項９ないし１２のいずれか一項に記載の装置。
【請求項１４】
前記開口部中に挿入されたとき、前記ハウジングから突き出して、一緒に積み重ねた第２のデータ・テープ・カートリッジからの前記データ・テープ・カートリッジの隔離を容易にする寸法である、請求項９ないし１３のいずれか一項に記載の装置。
【請求項１５】
ハウジング（１３）と、
媒体テープ（１７）記憶装置のリール（１５）と
を備え、前記ハウジングが、請求項９ないし１４のいずれか一項に記載の装置を挿入するための開口部（３５）を備え、それにより、前記装置がその機能を実施することが可能となる、データ・テープ・カートリッジ（１１）。
【発明の詳細な説明】
【技術分野】
【０００１】
本発明は、一般にデータ記録装置を保護する改善された手段に関し、詳細には、出荷および取扱い時にデータ・テープ・カートリッジなどのデータ記録装置をパッケージする改善された手段に関する。
【背景技術】
【０００２】
データ・テープ・ドライブなどのデータ記録装置では、テープ・カートリッジの磁気データ・テープなどのデータ記憶装置に情報を記録し、そのデータ記憶装置から情報を読み取る。テープ・カートリッジは、一般に、１つのテープ・リールの周囲に恒久的なハウジングまたはケースを形成する１対のカートリッジ半体を備える。使用時に、データ・テープ・ドライブに対して、カートリッジからテープを引き出し、カートリッジ中にテープを巻き戻すために、リールはカートリッジ内でその軸の周りに自由に回転可能である。さらに、リールは、組立て、およびデータ・テープ・ドライブのドライブ要素との微妙な位置ずれに対応するために、リールの軸方向にも半径方向にも限られた範囲で動きが可能である。したがって、一般にテープ・リールは、リールを恒久的に収容するカートリッジ内で３つの自由度を有している。
【発明の開示】
【発明が解決しようとする課題】
【０００３】
この構成は動作使用にはとても適しているが、かかる範囲の自由度があるため、リールおよびリールに巻かれたテープが出荷および取扱い時に潜在的な損傷にさらされるという不都合がある。具体的には、データ・テープは、ますます薄くなるにつれて、出荷や取扱い時に損傷を受けやすくなってきている。保護されていないテープ・カートリッジは、衝撃や振動による損傷を受けやすく、その損傷により、媒体上で恒久的な書込みまたは読取りエラーが生じ得る。したがって、出荷および取扱い時にデータ・テープ・カートリッジなどのデータ記録装置をパッケージするための改善された装置および方法が必要になっている。
【課題を解決するための手段】
【０００４】
したがって、第１の態様によれば、本発明は、ハウジングと、ハウジング内に配置された媒体テープのリールと、ハウジングとリールの間に挿入され、非動作使用中のデータ・テープ・カートリッジの取扱い時に媒体テープへの損傷を防止するために、ハウジングに対するリールの動きを隔離する装置とを備えるデータ・テープ・カートリッジを提供する。
【０００５】
第２の態様によれば、本発明は、データ・テープ・カートリッジのハウジングの開口部に挿入するための装置を提供する。このデータ・テープ・カートリッジは、ハウジング内に配置されたテープ媒体のリールをさらに備え、非使用中のデータ・テープ・カートリッジの取扱い時に媒体テープへの損傷を防止するために、この装置は、開口部に挿入されたとき、ハウジングに対するリールの動きを事実上隔離する。
【０００６】
第３の態様によれば、本発明は、ハウジングと、テープ媒体記憶装置のリールとを備え、ハウジングが請求項１０ないし１５のいずれか一項による装置を挿入するための開口部を備え、それによりこの装置がその機能を実施することが可能となる、データ・テープ・カートリッジを提供する。
【０００７】
非動作使用時にデータ・テープ・カートリッジの媒体テープ・リールをその外側の保護ハウジングから機械的に隔離する装置の一実施形態は、コンプライアントな円筒形の物体を備える。この物体により、リールとハウジングの間の３自由度の相対的な動きが防止される。テープ・カートリッジのハウジングの開口部にこの物体を挿入して、リールに力を加える。この物体はコンプライアントな性質であるため、これを開口部に保持し、リールのハブに係合させることが可能になる。リールはハウジングの内面に押し付けて保持されて、出荷または取扱い時あるいはその両方の際にリールのハウジングに対する軸方向、半径方向、および回転の動きが防止され、媒体テープおよびリールに対する損傷のリスクが低減される。
【０００８】
本発明の前述その他の目的および利点は、本発明の好ましい実施形態についての以下の詳細な説明を、添付の特許請求の範囲および添付図面と併せ読めば、当業者には明らかであろう。
【発明を実施するための最良の形態】
【０００９】
次に図１および図２を参照すると、磁気テープ・カートリッジ１１などの媒体記憶装置は、２つの半体１３ａ、１３ｂを備える恒久的外部筐体またはハウジング１３を有する。ハウジング１３は、媒体テープ１７の１本のスプールまたはリール１５を含む。ブレーキ・ボタン２３の歯付き部２１は、ブレーキ・バネ２５に加わる力によりリール１５と係合する。ブレーキ・ボタン２３は半体１３ｂの突起部２７にロックされ、望むときにリール１５の回転を防止する。ブレーキ・ボタン２３がリール１５に当たると、媒体テープ１７が、不意に緩むことも引き出されることもできなくなり、テープの緩みで起きる事故が発生するのを防ぐことができる。
【００１０】
テープ・カートリッジ１１は、テープ・ドライブ（図示せず）などの記録再生機器中に装入するようになっている。テープ・ドライブは、リール１５の駆動歯付き係合部３１と係合して、ハウジング１３に対してリール１５を回転させる。この時間中、ブレーキ・ボタン２３は、テープ・ドライブによりリール１５から解放される。したがって、媒体テープ１７は、テープ・ドライブに関連する部材を介して、回転リール１５によりそれぞれ順方向または逆方向に、リール１５およびハウジング１３から引き出すことができ、また駆動リール１５に巻き戻すことができる。図１を見ると最もよくわかるように、リール１５のハブ３３は、ハウジング１３の円形開口部３５を通してアクセスされる。
【００１１】
次に図３を参照すると、衝撃または振動事象中のデータ・テープ・カートリッジ１１の簡略化された側面断面図が示されている。この図では、図１および図２の構成要素および特徴の一部が示されておらず、本発明の有用性をより分かりやすく示すためにリール１５の動きの範囲が非常に誇張されている。テープ・カートリッジ１１が、出荷や取扱い時に、時々経験されるような衝撃または振動事象を受けると、リール１５およびテープ１７は、ハウジング１３の内面に激しくぶつかる可能性があり、それによってテープ１７上に恒久的な書込みまたは読取りエラーが生じ得る。
【００１２】
テープ・カートリッジ１１へのかかる損傷のリスクを低減させるために、図４に示すような小さなパック状装置４１が、リール１５とハウジング１３との相対的な動きを防止するために設けられる。好ましい実施形態では、装置４１は、高さが低く、概して円筒形をしている。装置４１は、発泡体を含む様々なコンプライアントな材料から形成することができる。装置４１の１つまたは複数の表面には、リール１５の駆動歯付き係合部３１とかみ合う相補的な任意選択の溝または歯４３を設けることができる。
【００１３】
図５に示すように、テープ・カートリッジ１１のハウジング１３の開口部３５に装置４１を挿入して、リール１５に力を加える。開口部３５は、装置４１をぴったり受ける。装置４１を形成する材料のコンプライアントな性質は、締まりばめまたはその他手段により、開口部３５中で保持される。図のバージョンでは、装置４１は、駆動歯付き係合部３１と係合し、リール１５をハウジング１３の内面に押しつける。この構成では、ハウジング１３に対するリール１５の軸方向、半径方向、および回転の動きが防止される。したがって、リール１５は、装置４１があるので、３つの自由度の動きから隔離される。装置４１は、もっと多いまたは少ない自由度で、リール１５を隔離するように構成することもできる。この実施形態では、装置４１の一部がハウジング１３の外部に突き出して、複数のテープ・カートリッジ１１が破線で示すように同軸方向に積み重ねられ、個々のテープ・カートリッジ１１が隔離されるようになる。データ・テープ・カートリッジ１１の単体の１つで動作使用の準備ができると、そのカートリッジを取り出し、それぞれの装置４１を取り除いてそのカートリッジを動作使用可能にする。
【００１４】
本発明には、媒体テープのテープ・カートリッジ・リールを、それが配置されている恒久的ハウジング内で過度に動かないように隔離できることを含めて、いくつかの利点がある。本発明の装置は、リールとハウジングの間で軸方向、半径方向、および回転の動きを含む３つの自由度の動きを防止する。さらに、テープ・カートリッジが同軸方向に積み重ねた構成で配置されているとき、同じ装置を使用して複数のテープ・カートリッジのそれぞれを互いに隔離することもできる。この装置により、テープ・カートリッジが使用中でない、出荷または取扱い時あるいはその両方の際に、媒体、特に媒体の端部への損傷のリスクが低減される。
【００１５】
本発明を、その形態のいくつかのみについて示し説明してきたが、本発明はそのように限定されるものでなく、本発明の範囲を逸脱することなく様々な変更が可能であることが、当業者には明らかであろう。例えば、本発明は、光学テープにも適用される。
【図面の簡単な説明】
【００１６】
【図１】従来技術によるデータ・テープ・カートリッジの等角図である。
【図２】図１のデータ・テープ・カートリッジの分解等角図である。
【図３】衝撃または振動事象中のリールを誇張した位置で示す、図１のデータ・テープ・カートリッジの簡略化した側面断面図である。
【図４】本発明に従って構築される、図１のデータ・テープ・カートリッジのリールを隔離するための装置の等角図である。
【図５】図１のデータ・テープ・カートリッジに取り付けた、動作中の図４の装置を示す図である。
【図１】
2004521436.tif 000003
【図２】
2004521436.tif 000004
【図３】
2004521436.tif 000005
【図４】
2004521436.tif 000006
【図５】
2004521436.tif 000007
【国際公開パンフレット】
2004521436.tif 000008
2004521436.tif 000009
2004521436.tif 000010
2004521436.tif 000011
2004521436.tif 000012
2004521436.tif 000013
2004521436.tif 000014
2004521436.tif 000015
2004521436.tif 000016
2004521436.tif 000017
2004521436.tif 000018
【手続補正書】
【提出日】平成15年12月18日(2003.12.18)
【手続補正１】
【補正対象書類名】特許請求の範囲
【補正対象項目名】全文
【補正方法】変更
【補正の内容】
【特許請求の範囲】
【請求項１】
データ・テープ・カートリッジ（１１）であって、
ハウジング（１３）と、
前記ハウジング内に配置された媒体テープ（１７）のリール（１５）と、
前記ハウジングと前記リールの間に挿入され、非動作使用中の前記データ・テープ・カートリッジの取扱い時に前記媒体テープへの損傷を防止するために、前記ハウジングに対する前記リールの動きを隔離する、相補形の溝をリールに係合する溝（４３）を備えた装置（４１）とを
備えるデータ・テープ・カートリッジ。
【請求項２】
前記装置が、コンプライアントな材料から形成される、請求項１に記載のデータ・テープ・カートリッジ。
【請求項３】
前記装置が、円筒形のパック様形状を有する、請求項１または２に記載のデータ・テープ・カートリッジ。
【請求項４】
前記ハウジングが、前記装置をぴったり受けるための開口部を有する、請求項１ないし３のいずれかに記載のデータ・テープ・カートリッジ。
【請求項５】
前記装置が、前記ハウジングの外部から突き出して、積み重ねた複数の前記データ・テープ・カートリッジ中での前記データ・テープ・カートリッジの隔離を容易にする、請求項１ないし４のいずれかに記載のデータ・テープ・カートリッジ。
【請求項６】
前記装置が、前記ハウジングに対して３つの自由度で前記リールを隔離する、請求項１ないし５のいずれかに記載のデータ・テープ・カートリッジ。
【請求項７】
前記３つの自由度が、前記ハウジングに対する前記リールの軸方向、回転、および半径方向の動きである、請求項６に記載のデータ・テープ・カートリッジ。
【請求項８】
データ・テープ・カートリッジのハウジング（１３）中の開口部（３５）に挿入するための装置（４１）であって、前記データ・テープ・カートリッジが前記ハウジング内に配置された媒体テープのリール（１８）をさらに備え、非使用中の前記データ・テープ・カートリッジの取扱い時に前記媒体テープへの損傷を防止するために、前記装置が、前記開口部に挿入されたとき、前記ハウジングに対する前記リールの動きを事実上隔離し、前記装置が前記リール上の相補形の溝と係合する溝を備えている装置。
【請求項９】
コンプライアントな材料から形成される、請求項８に記載の装置。
【請求項１０】
円筒形のパック様形状を有する、請求項８または９に記載の装置。
【請求項１１】
前記開口部内にぴったり嵌合する寸法である、請求項８ないし１０のいずれか一項に記載の装置。
【請求項１２】
前記開口部中に挿入されたとき、前記ハウジングから突き出して、一緒に積み重ねた第２のデータ・テープ・カートリッジからの前記データ・テープ・カートリッジの隔離を容易にする寸法である、請求項８ないし１１のいずれか一項に記載の装置。
【手続補正２】
【補正対象書類名】明細書
【補正対象項目名】全文
【補正方法】変更
【補正の内容】
【発明の詳細な説明】
【技術分野】
【０００１】
本発明は、一般にデータ記録装置を保護する改善された手段に関し、詳細には、出荷および取扱い時にデータ・テープ・カートリッジなどのデータ記録装置をパッケージする改善された手段に関する。
【背景技術】
【０００２】
データ・テープ・ドライブなどのデータ記録装置では、テープ・カートリッジの磁気データ・テープなどのデータ記憶装置に情報を記録し、そのデータ記憶装置から情報を読み取る。テープ・カートリッジは、一般に、１つのテープ・リールの周囲に恒久的なハウジングまたはケースを形成する１対のカートリッジ半体を備える。使用時に、データ・テープ・ドライブに対して、カートリッジからテープを引き出し、カートリッジ中にテープを巻き戻すために、リールはカートリッジ内でその軸の周りに自由に回転可能である。さらに、リールは、組立て、およびデータ・テープ・ドライブのドライブ要素との微妙な位置ずれに対応するために、リールの軸方向にも半径方向にも限られた範囲で動きが可能である。したがって、一般にテープ・リールは、リールを恒久的に収容するカートリッジ内で３つの自由度を有している。
【発明の開示】
【発明が解決しようとする課題】
【０００３】
この構成は動作使用にはとても適しているが、かかる範囲の自由度があるため、リールおよびリールに巻かれたテープが出荷および取扱い時に潜在的な損傷にさらされるという不都合がある。具体的には、データ・テープは、ますます薄くなるにつれて、出荷や取扱い時に損傷を受けやすくなってきている。保護されていないテープ・カートリッジは、衝撃や振動による損傷を受けやすく、その損傷により、媒体上で恒久的な書込みまたは読取りエラーが生じ得る。したがって、出荷および取扱い時にデータ・テープ・カートリッジなどのデータ記録装置をパッケージするための改善された装置および方法が必要になっている。
【課題を解決するための手段】
【０００４】
したがって、第１の態様によれば、本発明は、ハウジングと、ハウジング内に配置された媒体テープのリールと、ハウジングとリールの間に挿入され、非動作使用中のデータ・テープ・カートリッジの取扱い時に媒体テープへの損傷を防止するために、ハウジングに対するリールの動きを隔離する、相補形の溝をリールに係合する溝（４３）を備えた装置とを備えるデータ・テープ・カートリッジを提供する。
【０００５】
第２の態様によれば、本発明は、データ・テープ・カートリッジのハウジングの開口部に挿入するための装置を提供する。このデータ・テープ・カートリッジは、ハウジング内に配置されたテープ媒体のリールをさらに備え、非使用中のデータ・テープ・カートリッジの取扱い時に媒体テープへの損傷を防止するために、この装置は、開口部に挿入されたとき、ハウジングに対するリールの動きを事実上隔離する。ここで、この装置はリール上の相補形の溝と係合する溝を備えている。
【０００６】
（削除）
【０００７】
非動作使用時にデータ・テープ・カートリッジの媒体テープ・リールをその外側の保護ハウジングから機械的に隔離する装置の一実施形態は、コンプライアントな円筒形の物体を備える。この物体により、リールとハウジングの間の３自由度の相対的な動きが防止される。テープ・カートリッジのハウジングの開口部にこの物体を挿入して、リールに力を加える。この物体はコンプライアントな性質であるため、これを開口部に保持し、リールのハブに係合させることが可能になる。リールはハウジングの内面に押し付けて保持されて、出荷または取扱い時あるいはその両方の際にリールのハウジングに対する軸方向、半径方向、および回転の動きが防止され、媒体テープおよびリールに対する損傷のリスクが低減される。
【０００８】
本発明の前述その他の目的および利点は、本発明の好ましい実施形態についての以下の詳細な説明を、添付の特許請求の範囲および添付図面と併せ読めば、当業者には明らかであろう。
【発明を実施するための最良の形態】
【０００９】
次に図１および図２を参照すると、磁気テープ・カートリッジ１１などの媒体記憶装置は、２つの半体１３ａ、１３ｂを備える恒久的外部筐体またはハウジング１３を有する。ハウジング１３は、媒体テープ１７の１本のスプールまたはリール１５を含む。ブレーキ・ボタン２３の歯付き部２１は、ブレーキ・バネ２５に加わる力によりリール１５と係合する。ブレーキ・ボタン２３は半体１３ｂの突起部２７にロックされ、望むときにリール１５の回転を防止する。ブレーキ・ボタン２３がリール１５に当たると、媒体テープ１７が、不意に緩むことも引き出されることもできなくなり、テープの緩みで起きる事故が発生するのを防ぐことができる。
【００１０】
テープ・カートリッジ１１は、テープ・ドライブ（図示せず）などの記録再生機器中に装入するようになっている。テープ・ドライブは、リール１５の駆動歯付き係合部３１と係合して、ハウジング１３に対してリール１５を回転させる。この時間中、ブレーキ・ボタン２３は、テープ・ドライブによりリール１５から解放される。したがって、媒体テープ１７は、部材を介して、回転リール１５によりそれぞれ順方向または逆方向に、リール１５およびハウジング１３から引き出すことができ、またテープ・ドライブに関連する駆動リール１５に巻き戻すことができる。図１を見ると最もよくわかるように、リール１５のハブ３３は、ハウジング１３の円形開口部３５を通してアクセスされる。
【００１１】
次に図３を参照すると、衝撃または振動事象中のデータ・テープ・カートリッジ１１の簡略化された側面断面図が示されている。この図では、図１および図２の構成要素および特徴の一部が示されておらず、本発明の有用性をより分かりやすく示すためにリール１５の動きの範囲が非常に誇張されている。テープ・カートリッジ１１が、出荷や取扱い時に、時々経験されるような衝撃または振動事象を受けると、リール１５およびテープ１７は、ハウジング１３の内面に激しくぶつかる可能性があり、それによってテープ１７上に恒久的な書込みまたは読取りエラーが生じ得る。
【００１２】
テープ・カートリッジ１１へのかかる損傷のリスクを低減させるために、図４に示すような小さなパック状装置４１が、リール１５とハウジング１３との相対的な動きを防止するために設けられる。好ましい実施形態では、装置４１は、高さが低く、一般に円筒形をしている。装置４１は、発泡体を含む様々なコンプライアントな材料から形成することができる。装置４１の１つまたは複数の表面には、リール１５の駆動歯付き係合部３１とかみ合う相補的な任意選択の溝または歯４３を設けることができる。
【００１３】
図５に示すように、テープ・カートリッジ１１のハウジング１３の開口部３５に装置４１を挿入して、リール１５に対して力を加える。開口部３５は、装置４１をぴったり受ける。装置４１を形成する材料のコンプライアントな性質は、締まりばめまたはその他手段により、開口部３５中で保持される。図のバージョンでは、装置４１は、駆動歯付き係合部３１と係合し、リール１５をハウジング１３の内面に押しつける。この構成では、ハウジング１３に対するリール１５の軸方向、半径方向、および回転の動きが防止される。したがって、リール１５は、装置４１があるので、３つの自由度の動きから隔離される。装置４１は、もっと多いまたは少ない自由度で、リール１５を隔離するように構成することもできる。この実施形態では、装置４１の一部がハウジング１３の外部に突き出して、複数のテープ・カートリッジ１１が破線で示すように同軸方向に積み重ねられ、個々のテープ・カートリッジ１１が隔離されるようになる。データ・テープ・カートリッジ１１の単体の１つで動作使用の準備ができると、そのカートリッジを取り出し、それぞれの装置４１を取り除いてそのカートリッジを動作使用可能にする。
【００１４】
本発明には、媒体テープのテープ・カートリッジ・リールを、それが配置されている恒久的ハウジング内で過度に動かないように隔離できることを含めて、いくつかの利点がある。本発明の装置は、リールとハウジングの間で軸方向、半径方向、および回転の動きを含む３つの自由度の動きを防止する。さらに、テープ・カートリッジが同軸方向に積み重ねた構成で配置されているとき、同じ装置を使用して複数のテープ・カートリッジのそれぞれを互いに隔離することもできる。この装置により、テープ・カートリッジが使用中でない、出荷または取扱い時あるいはその両方の際に、媒体、特に媒体の端部への損傷のリスクが低減される。
【００１５】
本発明を、その形態のいくつかのみについて示し説明してきたが、本発明はそのように限定されるものでなく、本発明の範囲を逸脱することなく様々な変更が可能であることが、当業者には明らかであろう。例えば、本発明は、光学テープにも適用される。
【図面の簡単な説明】
【００１６】
【図１】従来技術によるデータ・テープ・カートリッジの等角図である。
【図２】図１のデータ・テープ・カートリッジの分解等角図である。
【図３】衝撃または振動事象中のリールを誇張した位置で示す、図１のデータ・テープ・カートリッジの簡略化した側面断面図である。
【図４】本発明に従って構築される、図１のデータ・テープ・カートリッジのリールを隔離するための装置の等角図である。
【図５】図１のデータ・テープ・カートリッジに取り付けた、動作中の図４の装置を示す図である。




【国際調査報告】
2004521436.tif 000019
2004521436.tif 000020
2004521436.tif 000021